(57)【要約】      （修正有）【課題】天井スラブ下の狭小スペース内に地震時の可動用構造材やエキスパンションカバー材を収めて設置可能な免震エキスパンションジョイント天井部材を提供する。【解決手段】エキスパンションジョイントカバー部材１１を懸架するためにカバー部材１１の一端はＸスライド方向に対して摺動可能な複数本のスライドレール１９ｂ端部より懸吊された夫々の上下可動杆２０ｂにより支持されており、また、カバー部材１１の他端は斜角θ°を有する複数本の摺動軸２５ｂに沿って摺動する夫々の摺動子２６ｂに保持され斜め上方向へ平行もしくは水平にリフトアップ可能な複数個の保持具２７ｂにより支持されている。【選択図】図１
0003199080.tif 000002
【実用新案登録請求の範囲】
【請求項１】
建物と建物の躯体間下部に懸架され左右の天井部材７、８間の間隙を塞ぐために設けたエキスパンションジョイントカバー部材１１において、
該エキスパンションジョイントカバー部材１１を懸架するためにエキスパンションジョイントカバー部材１１の一端はＸスライド矢印１８方向に対して摺動可能な複数本のスライドレール１９ａ、１９ｂ、１９ｃ・・・の端部により懸架された夫々の上下可動杆２０ａ、２０ｂ、２０ｃ・・・により支持されており、
また、前記エキスパンションジョイントカバー部材１１の他端側はＹスライド矢印２９の方向に摺動可能なガイドレール３０に懸架された複数個の摺動軸保持架台２８ａ、２８ｂ、２８ｃ・・・上に載置され斜角θ°を有する複数本の摺動軸２５ａ、２５ｂ、２５ｃ・・・を有しており、
該摺動軸２５ａ、２５ｂ、２５ｃ・・・に沿って摺動する夫々の摺動子２６ａ、２６ｂ、２６ｃ・・・に保持された保持具２７ａ、２７ｂ、２７ｃ・・・が設けられ、
該保持具２７ａ、２７ｂ、２７ｃ・・・を介して前記エキスパンションジョイントカバー部材１１を支持した構成を有し、
該エキスパンションジョイントカバー部材１１は左右の天井部材７、８に対して斜め上方向へ平行もしくは水平にリフトアップ可能に設けられていることを特徴とする免震エキスパンションジョイント天井部材。
【請求項２】
前記エキスパンションジョイントカバー部材１１は通常時において建物と建物の躯体間下部に懸架された左右の天井部材７、８間の間隙を塞ぐとともに左右の天井部材７、８とエキスパンションジョイントカバー部材１１が同一面上に配置されており、
該エキスパンションジョイントカバー部材１１が塞ぐ左右の天井部材７、８間の間隙が地震可動時において狭まった際には前記エキスパンションジョイントカバー部材１１が片側の天井部材８に設けられた押し上げ斜材１７にて押圧されて前記エキスパンションジョイントカバー部材１１を左右の天井部材７、８に対して斜角θ°を有する斜め上方向へ平行もしくは水平にリフトアップさせることでエキスパンションジョイントカバー部材１１を高さ方向に摺動して左右の天井部材７、８とエキスパンションジョイントカバー部材１１の破損を防止することを特徴とする請求項１に記載された免震エキスパンションジョイント天井部材。
【請求項３】
前記左右の天井部材７、８間の間隙が地震可動時において狭まった際にエキスパンションジョイントカバー部材１１を保持して左右の天井部材７、８に対して斜め上方向へ平行もしくは水平にリフトアップするための摺動軸２５ａ、２５ｂ、２５ｃ・・・の傾きは斜角θ°を９０°以下に設定したことを特徴とする請求項１乃至請求項２のいずれかに記載された免震エキスパンションジョイント天井部材。
【考案の詳細な説明】
【技術分野】
【０００１】
本考案は、エキスパンションジョイント天井部材に関するものであり、特に本考案は、免震建物と非免震建物が形成する躯体の間隙部に設置され地震可動時に建物間の相互移動に対応した円滑な動きを可能に構成して、建物や天井化粧部材を破損させることのないエキスパンションジョイントを提供するものである。
【背景技術】
【０００２】
免震建物においては、建物が地震可動時に大変形を生じることに対する建築的な対応が最重要事項である。この大変形は地盤と建物の間に生じる変形で、この場合に生じる免震建物と非免震建物間の相互移動に対応した間隙部（クリアランス）を確保する必要がある。
【０００３】
即ち、免震建物と非免震建物が形成する間隙部は、屋根部や天井部、外壁部や内壁部、そして、人や車の出入り部分に設けられる床部等があり、夫々の間隙部に設置されるエキスパンションジョイントは、設置場所により独自の構造を有して建物間の相互移動に対応した間隙部を確保すると同時に、該間隙部を覆い免震建物と非免震建物間に装架されて地震時の相互移動に対応できるエキスパンションジョイントが必要となる。
【０００４】
斯くして、本考案は、免震建物と非免震建物が形成する躯体の間隙部に設置するエキスパンションジョイント天井部材に関するものである。エキスパンションジョイント天井部材において、最近は免震化の影響で免震建物と非免震建物との躯体間の間隙部（クリアランス）は広がる傾向で、前記エキスパンションジョイント天井部材は、躯体間の間隙部をエキスパンションジョイントカバー部材にて覆い、該カバー材は地震時における躯体間の大きな変形に対応できることが要求されている。
【０００５】
また、エキスパンションジョイント天井部材は、天井スラブ下の狭小スペース内に地震時の可動用構造材やエキスパンションカバー部材を収めて設置されていることが重要であり、通常時に左右の天井材とエキスパンションジョイントカバー部材とが同一面になるように設置できること、並びに、地震時におけるエキスパンションジョイント天井部材部の伸縮やリフトアップ動作に伴う衝撃音が発生しないないこと、更には、地震可動時の衝撃による損傷でエキスパンションジョイントカバー部材の垂れ下がりや落下に備え、エキスパンションカバー部材を軽量化することが必要である。
【０００６】
而して、エキスパンションジョイント天井部材の地震時における動作方向は、免震建物と非免震建物が形成する躯体の間隙部の幅方向（Ｘスライド方向）や長手方向（Ｙスライド方向）への動作、更には躯体の間隙部の高さ方向（Ｚスライド方向）への動作や、それらの複合動作がある。そして、このような地震時の可動動作に伴い、左右の天井材間に設置されるエキスパンションジョイント天井部材は相互に衝突することが不可避となるが、これを回避するために従来のエキスパンションジョイント天井部材においては、特開２００３−１７６５９６号公報（以下、特許文献１と称する）のような工夫がなされている。
【０００７】
特許文献１は、間隙部に設けられる目地天井材の一端部を躯体側の天井部に枢軸を介して連結し、先端部を他方の躯体側まで伸ばして水平摺動自在に重合部を形成するとともに、この先端側が他方の天井上側、即ち、裏側にずれ上がり変位可能に構成した目地天井材支持機構が開示されている。
【０００８】
然しながら、特許文献１のような片側支持による目地天井部材の固定構造では、躯体間隙の目地天井部材の荷重が一端部に掛かり先端側に垂れ下がり現象が生じるので、目地天井部の上部に伸縮リンクを設けて天井目地部の吊り下げワイヤーや引張りワイヤー、並びに取付金具やガイドレールを設置せざるを得ない。従って、前記目地天井部材の垂れ下がり防止機構や片側支持による片上がり構造を採用した特許文献１の発明は、これらの可動機構や支持部材が衝突せずに可動できる広い躯体間隙と天井裏（天井スラブ下）空間が必要となり、施工可能箇所が限定されてしまうと云う欠点があった。
【０００９】
また、上記特許文献１の問題点を解消すべく、エキスパンションジョイント天井部材を二つ折りとして躯体間隙の天井部の荷重を両側の回転軸部に分散させ、天井部の回転構造部をこの上側部に収め、狭い天井裏空間でも設置を可能としたエキスパンションジョイント天井部材が、特開２００５−３２５６１２号公報（以下、特許文献２と称する）に開示されている。
【００１０】
然しながら、特許文献２は、エキスパンションジョイント天井部材を二つ折りとして、該二つ折り部の上部に天井部材の回転構造部を設けており、地震可動時において、左右の天井間隙部が大きく開いた場合にエキスパンションジョイント天井部材の端部と天井部間を連結する目的で連結部材をエキスパンションジョイント天井部材の裏面に重ねわせて設置している構成が必要で、エキスパンションジョイント天井部材の自重がどうしても重くなってしまう欠点がある。
【００１１】
而して、エキスパンションジョイント天井部材の自体の軽量化は、地震可動時の衝撃による損傷によりエキスパンションジョイントカバー部材が落下した場合を想定して、是非とも配慮されなければならいものであり、また、前記特許文献１と同様に天井裏空間部に跳ね上がる二つ折りの天井部材や天井部の回転構造部、そして連結部材の回転動作機構は、天井スラブ下の狭小スペース内にエキスパンションカバー材を収めて設置する際に、施工可能箇所が限定されてしまうと云う大きな欠点を有している。
【先行技術文献】
【特許文献】
【００１２】
【特許文献１】特開２００３−１７６５９６号公報
【特許文献２】特開２００５−３２５６１２号公報
【考案の概要】
【考案が解決しようとする課題】
【００１３】
本考案は、免震建物と非免震建物が形成する躯体の間隙部に設置するエキスパンションジョイント天井部材に関するものである。そして、最近のエキスパンションジョイント天井部材においては、免震化の影響で免震建物と非免震建物との躯体間の間隙部（クリアランス）は広がる傾向がある。本考案におけるエキスパンションジョイント天井部材は、躯体間の間隙部をエキスパンションジョイントカバー部材にて覆い、該カバー部材は地震時における躯体間の大きな変形に対応できる間隙部（クリアランス）を有し、地震時における躯体間の大きな変形にも対応することができるエキスパンションジョイント天井部材を提供するものである。
【００１４】
また、本考案におけるエキスパンションジョイント天井部材は、天井スラブ下の狭小スペース内に地震時の可動用構造材やエキスパンションカバー材を収めて設置可能であり、通常時に左右に配置される免震建物側天井材と非免震建物側天井材、そしてエキスパンションジョイント天井部材とが同一面になるように設置できること、並びに、地震時におけるエキスパンションジョイント天井部材部の伸縮やリフトアップ動作に伴う衝撃音が発生しないないこと、更には、地震可動時の衝撃や破損によりエキスパンションジョイントカバー部材が落下した場合に備えてカバー部材やカバー部材の動作機構が軽量化されており、それらが地震可動時に円滑に動作する構成を有したエキスパンションジョイント天井部材を提供するものである。
【課題を解決するための手段】
【００１５】
本考案は、建物と建物の躯体間下部に懸架され左右の天井間の間隙を塞ぐために設けたエキスパンションジョイントカバー部材において、そのエキスパンションジョイントカバー部材を懸架するためにエキスパンションジョイントカバー部材の一端はＸスライド方向に対して摺動可能な複数本のスライドレール端部より懸吊された夫々の上下可動杆により支持されており、また前記エキスパンションジョイントカバー部材の他端は斜角θ°を有する複数本の摺動軸に沿って摺動する夫々の摺動子に保持され斜め上方向へ平行もしくは水平にリフトアップ可能な複数個の保持具により支持されている免震エキスパンションジョイント天井部材を提供する。
【００１６】
また、本考案において、エキスパンションジョイントカバー部材は、通常時、免震建物と非免震建物の躯体間下部に懸架された左右の天井間の間隙を塞ぎ左右の天井材とエキスパンションジョイントカバー部材が同一面上に配置されており、前記エキスパンションジョイントカバー部材が塞ぐ左右の天井間の間隙が地震可動時において狭まった際には前記エキスパンションジョイントカバー部材が片側の天井部材に設けられた押し上げ斜材にて押圧されて前記エキスパンションジョイントカバー部材を傾角θ°を有する斜め上方向にリフトアップ摺動させることでＺスライド方向に摺動して左右の天井とエキスパンションジョイントカバー部材の破損を防止する免震エキスパンションジョイント天井部材を提供する。
【００１７】
更に、本考案において、エキスパンションジョイントカバー部材を保持して傾角θ°を有する斜め上方向へ平行もしくは水平にリフトアップ可能な複数個の保持具、及び摺動軸や摺動子は、免震建物側天井部材の裏面に設けられた摺動軸保持架台上に載置され、該摺動軸保持架台はＹスライド方向に摺動可能なＹスライドレールに懸架されている免震エキスパンションジョイント天井部材である。
【００１８】
そして、本考案は前記左右の天井間の間隙が地震可動時において狭まった際にエキスパンションジョイントカバー部材を保持して斜め上方向へ平行もしくは水平にリフトアップするための摺動軸の傾きは斜角θ°を９０°以下に設定した免震エキスパンションジョイント天井部材を提供する。
【考案の効果】
【００１９】
斯くして、本考案は、免震建物と非免震建物が形成する躯体の間隙部に設置するエキスパンションジョイント天井部材を提供するものである。最近のエキスパンションジョイント天井部材、即ち、エキスパンションジョイントカバー部材においては、免震化の影響で免震建物と非免震建物との躯体間の間隙部（クリアランス）は広がる傾向がある。本考案におけるエキスパンションジョイントカバー部材は、躯体間の間隙部をエキスパンションジョイントカバー部材にて覆い、該カバー部材は地震時における躯体間の大きな変形に対応できる間隙部（クリアランス）を有し、地震時における躯体間の大きな変形にも対応することができるエキスパンションジョイント天井部材を提供することが可能である。
【００２０】
そして、本考案におけるエキスパンションジョイント天井部材は、地震可動時においてエキスパンションジョイントカバー部材が塞ぐ左右の天井間の間隙が狭まった際に前記カバー部材を平行もしくは水平に保ちながら斜め上方向にリフトアップ可能であり、天井スラブ下の狭小スペース内に地震時の可動用構造材やエキスパンションジョイントカバー材を収めて設置可能であり、狭い躯体間隙と天井裏（天井スラブ下）空間を必要とせず施工可能箇所が大幅に拡大することが可能である。
【００２１】
また、本考案は、エキスパンションジョイント天井部材を左右両側で支持することにより天井部材の垂れ下がりを防止して、通常時に左右の天井材とエキスパンションジョイント天井部材とが同一面になるように設置できること、並びに、地震時におけるエキスパンションジョイント天井部材部の伸縮や上下可動動作に伴う衝撃音が発生しない円滑な動きのできるエキスパンションジョイントカバー部材を提供することか可能である。
【００２２】
更に、本考案は、地震可動時の衝撃や破損によりエキスパンションジョイントカバー部材が落下した場合に備えて、カバー部材やカバー部材の動作機構が軽量化されており、それらが地震可動時に円滑に動作する構成にもなり、軽量化やシンプル化したエキスパンションジョイント天井部材は、従来装置に比較して製造コストを大幅に削減することが可能である。
【図面の簡単な説明】
【００２３】
【図１】本考案を説明する側断面図。
【図２】図１を説明する斜視図。
【図３】地震可動時に躯体間の間隙が最少になった状態を示す側断面図。
【図４】図３を説明する斜視図。
【図５】地震可動時に躯体間の間隙が最大になった状態を示す側断面図。
【図６】図３を説明する斜視図。
【考案を実施するための形態】
【００２４】
本考案は、エキスパンションジョイント天井部材に関するものであり、特に本考案は、免震建物と非免震建物が形成する躯体の間隙部に設置され地震可動時に建物間の相互移動に対応した円滑な動きを可能に構成して、建物や天井化粧部材を破損させることのないエキスパンションジョイントを提供するものである。
【００２５】
本考案は、免震建物と非免震建物が形成する躯体の間隙部に設置するエキスパンションジョイント天井部材に関するものである。そして、最近のエキスパンションジョイント天井部材においては、免震化の影響で免震建物と非免震建物との躯体間の間隙部（クリアランス）は広がる傾向がある。本考案におけるエキスパンションジョイント天井部材は、躯体間の間隙部をエキスパンションジョイントカバー部材にて覆い、該カバー部材は地震時における躯体間の大きな変形に対応できる間隙部（クリアランス）を有し、地震時における躯体間の大きな変形にも対応することができるエキスパンションジョイント天井部材を提供するものである。
【００２６】
また、本考案におけるエキスパンションジョイント天井部材は、天井スラブ下の狭小スペース内に地震時の可動用構造材やエキスパンションカバー材を収めて設置可能であり、通常時に左右の天井材とエキスパンションジョイント天井部材とが同一面になるように設置できること、並びに、地震時におけるエキスパンションジョイント天井部材部の伸縮やリフトアップ動作に伴う衝撃音が発生しないないこと、更には、地震可動時の衝撃や破損によりエキスパンションジョイントカバー部材が落下した場合に備えて、カバー部材やカバー部材の動作機構が軽量化されており、それらが地震可動時に円滑に動作する構成を有したエキスパンションジョイント天井部材を提供するものである。
【００２７】
斯くして、本考案は、建物と建物の躯体間下部に懸架され左右の天井間の間隙を塞ぐために設けたエキスパンションジョイントカバー部材おいて、該エキスパンションジョイントカバー部材を懸架するためにエキスパンションジョイントカバー部材の一端はＸスライド方向に対して摺動可能な複数本のスライドレール端部より懸吊された夫々の上下可動杆により支持されており、また前記エキスパンションジョイントカバー部材の他端は斜角θ°を有する複数本の摺動軸に沿って摺動する夫々の摺動子に保持され斜め上方向へ平行もしくは水平にリフトアップ可能な複数個の保持具により支持されていることが好ましい。
【００２８】
また、本考案における前記エキスパンションジョイントカバー部材は、通常時建物と建物の躯体間下部に懸架された左右の天井間の間隙を塞ぎ左右の天井材とエキスパンションジョイントカバー部材が同一面上に配置されており、前記エキスパンションジョイントカバー部材が塞ぐ左右の天井間の間隙が地震可動時において狭まった際には前記エキスパンションジョイントカバー部材が片側の天井部材に設けられた押し上げ斜材にて押圧されて前記エキスパンションジョイントカバー部材を斜角θ°を有する斜め上方向にリフトアップ摺動させることでＺスライド方向に摺動して左右の天井とエキスパンションジョイントカバー部材の破損を防止することができる構成であることが好ましい。
【００２９】
更に、本考案における前記エキスパンションジョイントカバー部材を保持して斜角θ°を有する斜め上方向にリフトアップ可能な複数個の保持具及び摺動軸や摺動子は、右側の免震建物側天井部材の裏面に設けられた摺動軸保持架台上に載置され、該摺動軸保持架台はＹスライド方向に摺動可能なＹスライドレールに懸架されていることが好ましい。
【００３０】
そして、本考案は、前記左右の天井間の間隙が、地震可動時において狭まった際にエキスパンションジョイントカバー部材を保持して斜め上方向へ平行もしく水平にリフトアップするための摺動軸の傾きは斜角θ°を９０°以下に設定した免震エキスパンションジョイント天井部材であることが好ましい。
【００３１】
斯くして、本考案は、免震建物と非免震建物が形成する躯体の間隙部に設置するエキスパンションジョイント天井部材を提供するものである。最近のエキスパンションジョイント天井部材、即ち、エキスパンションジョイントカバー部材においては、免震化の影響で免震建物と非免震建物との躯体間の間隙部（クリアランス）は広がる傾向がある。本考案におけるエキスパンションジョイントカバー部材は、躯体間の間隙部をエキスパンションジョイントカバー部材にて覆い、該カバー部材は地震時における躯体間の大きな変形に対応できる間隙部（クリアランス）を有し、地震時における躯体間の大きな変形にも対応することができるエキスパンションジョイント天井部材を提供することが可能である。
【００３２】
そして、本考案におけるエキスパンションジョイント天井部材は、地震可動時においてエキスパンションジョイントカバー部材が塞ぐ左右の天井間の間隙が狭まった際に前記カバー部材を水平に保ちながら斜め上方向へ平行もしくは水平にリフトアップ可能であり、天井スラブ下の狭小スペース内に地震時の可動用構造材やエキスパンションジョイントカバー材を収めて設置可能であり、狭い躯体間隙と天井裏（天井スラブ下）空間を必要とせず施工可能箇所が大幅に拡大することが可能である。
【００３３】
また、本考案は、エキスパンションジョイント天井部材を左右両側で支持することにより天井部材の垂れ下がりを防止して、通常時に左右の天井材とエキスパンションジョイント天井部材とが同一面になるように設置できること、並びに、地震時におけるエキスパンションジョイント天井部材部の伸縮や上下可動動作に伴う衝撃音が発生しない円滑な動きのできるエキスパンションジョイントカバー部材を提供することか可能である。
【００３４】
更に、本考案は、地震可動時の衝撃や破損によりエキスパンションジョイントカバー部材が落下した場合に備えて、カバー部材やカバー部材の動作機構が軽量化されており、それらが地震可動時に円滑に動作する構成にもなり、軽量化やシンプル化したエキスパンションジョイント天井部材は、従来装置に比較して製造コストを大幅に削減することが可能である。
【実施例１】
【００３５】
本考案の実施例１を図１及び図２に基づいて説明する。図１は実施例１を説明する側断面図、図２は、図１を説明する斜視図であり、図１及び図２は通常時のエキスパンションジョイント天井部材を示している。また、図３は、地震可動時に躯体間の間隙が最少になった状態を示す側断面図、図４は図３を説明する斜視図であり、図５は、地震可動時に躯体間の間隙が最大になった状態を示す側断面図、図６は、図３を説明する斜視図を示しており、図３乃至図６は地震可動時の動作説明図である。
【００３６】
図１乃至図６において、１は免震建物（以下、建物１と称する）、２は非免震建物（以下、建物２と称する）、Ｃ１、Ｃ２、Ｃ３は、建物１と建物２との躯体３、４間に設けられた間隙部（クリアランス）であり、前記Ｃ１は通常時の間隙部、Ｃ２は地震可動時に躯体間の間隙部が最小になった状態を示しており、Ｃ３は地震可動時に躯体間の間隙部が最大になった状態を示している。
【００３７】
而して、躯体３と躯体４の天井スラブ下５、６には免震建物側の天井部材７、非免震建物側の天井部材８が吊り金具９ａ、９ｂ、９ｃ・・・や吊り金具１０ａ、１０ｂ、１０ｃ・・・にて懸架されており、前記左右の免震建物側の天井部材７と非免震建物側の天井部材８の間には間隙部Ｃ１を塞ぐようにエキスパンションジョイントカバー部材１１が前記天井部材７、天井部材８と同一面上に配置されている。また、エキスパンションジョイントカバー部材１１が左右の天井部材７、８に対向する端部形状は斜角を有したカバー材端部１２ａ、１２ｂを形成しており、夫々のカバー材端部１２ａ、１２ｂに対向する天井部材７、天井部材８の端部形状もエキスパンションジョイントカバー部材１１のカバー材端部１２ａ、１２ｂとは逆方向の斜角を有した小口部１３や小口部１４が形成されている。
【００３８】
また、前記非免震建物側天井部材８は、天井スラブ下６に吊り金具１０ａ、１０ｂ、１０ｃ・・にて懸架される天井装架部材１５ａ、１５ｂ、１５ｃ・・・にて装架され、前記非免震建物側天井部材８の小口部１４は、特に天井部材８の間隙が地震可動時において狭まった際に前記エキスパンションジョイントカバー部材１１を上部に大きく押し上げることのできる斜角部１６を有した押し上げ斜材１７を設けている。
【００３９】
そして、前記エキスパンションジョイントカバー部材１１の非免震建物側天井部材８側を懸架するためにエキスパンションジョイントカバー部材１１の一端は、Ｘスライド矢印１８（図２に示す）方向に対して摺動可能な複数本のスライドレール１９ａ、１９ｂ、１９ｃ・・・端部より懸吊された夫々の上下可動杆２０ａ、２０ｂ、２０ｃ・・・により支持されており、該上下可動杆２０ａ、２０ｂ、２０ｃ・・・により支持されたエキスパンションジョイントカバー部材１１は、間隙部Ｃ１が収縮する際に斜め上方向へ平行もしくは水平にリフトアップ摺動でき、また間隙部Ｃ１が拡大する際に斜め下方向にリフトダウン摺動が可能である。
【００４０】
尚、スライドレール１９ａ、１９ｂ、１９ｃ・・・には、上下可動杆２０ａ、２０ｂ、２０ｃ・・・装着用の摺動長孔２１ａ、２１ｂ、２１ｃ・・・が穿設されており、該摺動長孔２１ａ、２１ｂ、２１ｃ・・・が穿設されたスライドレール１９ａ、１９ｂ、１９ｃ・・・は伸縮摺動部材２２ａ、２２ｂ、２２ｃ・・・に連結されている。そして、前記伸縮摺動部材２２ａ、２２ｂ、２２ｃ・・・は、前記天井装架部材１５ａ、１５ｂ、１５ｃ・・・にアングル材２３にて固定され、その構造は、夫々鞘管式重複パイプ部材を構成し内部に伸縮用引張りスプリング２４を内蔵して必要に応じてその長さ方向で伸縮自在であり、前記上下可動杆２０ａ、２０ｂ、２０ｃ・・・にて支持するエキスパンションジョイントカバー部材１１を上述の如くリフトアップ摺動やリフトダウン摺動することが可能でこれらの摺動はＹスライド方向の動きをエキスパンションジョイント部に与えることになる。
【００４１】
また前記エキスパンションジョイントカバー部材１１の他端部、即ち、免震建物側天井部材７側におけるエキスパンションジョイントカバー部材１１の支持構造は、斜角θ°（図１に示す）を有する複数本の摺動軸２５ａ、２５ｂ、２５ｃ・・・に沿って軸上を摺動する夫々の摺動子２６ａ、２６ｂ、２６ｃ・・・に保持され斜め上方向にリフトアップ可能な複数個の保持具２７ａ、２７ｂ、２７ｃ・・・により支持されている。そして、前記エキスパンションジョイントカバー部材１１の保持具２７ａ、２７ｂ、２７ｃ・・・、及び摺動軸２５ａ、２５ｂ、２５ｃ・・・や、摺動子２６ａ、２６ｂ、２６ｃ・・・は右側天井部材７の裏面に設けられた摺動軸保持架台２８ａ、２８ｂ、２８ｃ・・・上に載置され、該摺動軸保持架台２８ａ、２８ｂ、２８ｃ・・・はＹスライド矢印２９（図２に示す）方向に摺動可能なガイドレール３０内に内蔵して摺動する長レール３１を介して懸架されている。
尚、前記ガイドレール３０は長レール３１の任意ピッチを有する支持部材３２ａ、３２ｂ、３２ｃ・・・に固定されており、該支持架台３２ａ、３２ｂ、３２ｃ・・・は、天井スラブ下５に懸架された吊り金具９ａ、９ｂ、９ｃ・・にて建物１側に装架されていて、前記免震建物側天井部材７等もＹスライド矢印２９の方向に摺動可能に吊架されている。
【００４２】
斯くして、本考案の実施例１は、建物１と建物２の躯体間下部に懸架され左右の免震建物側の天井部材７、非免震建物側の天井部材８間の間隙部Ｃ１を塞ぐために設けたエキスパンションジョイントカバー部材１１おいて、該エキスパンションジョイントカバー部材１１を懸架するためにエキスパンションジョイントカバー部材１１の一端はＸスライド方向、矢印１８に対して摺動可能な複数本のスライドレール１９ａ、１９ｂ、１９ｃ・・・の端部より懸吊された夫々の上下可動用の上下可動杆２０ａ、２０ｂ、２０ｃ・・・により支持されており、また前記エキスパンションジョイントカバー部材１１の他端は斜角θ°を有する複数本の摺動軸２５ａ、２５ｂ、２５ｃ・・・に沿って摺動する夫々の摺動子２６ａ、２６ｂ、２６ｃ・・・に保持され斜め上方向へ平行もしくは水平にリフトアップ、またはリフトダウン可能な複数個の保持具２７ａ、２７ｂ、２７ｃ・・・により支持されている免震エキスパンションジョイント天井部材を提供するものである。
【００４３】
また、本考案の実施例１においては，前記エキスパンションジョイントカバー部材１１を保持して斜角θ°を有する斜め上方向へ平行もしくは水平にリフトアップ可能な複数個の保持具２７ａ、２７ｂ、２７ｃ・・・，及び摺動軸２５ａ、２５ｂ、２５ｃ・・・や，摺動子２６ａ、２６ｂ、２６ｃ・・・は右側の免震建物側の天井部材７の裏面に設けられた摺動軸保持架台２８上に載置され、該摺動軸保持架台２８はＸスライド矢印１８方向に摺動可能なスライドレール１９ａ、１９ｂ、１９ｃ・・・に懸架されている免震エキスパンションジョイント天井部材を提供するものである。
【００４４】
そして、本考案の実施例１は、前記左右の免震建物側と非免震建物側の天井部材８、９間の間隙部Ｃ２の如く地震可動時において狭まった際にエキスパンションジョイントカバー部材１１を保持して斜め上方向にリフトアップするための摺動軸２５ａ、２５ｂ、２５ｃ・・・の傾きは斜角θ°を９０°以下に設定した免震エキスパンションジョイント天井部材を提供するものである。
【００４５】
次に、本考案の実施例は、図３乃至図６において、地震可動時の二つの動作を説明する。図３及び図４は地震可動時において間隙部が最大限狭くなった場合を示す断面図、及び斜視図であり、図５及び図６は地震可動時において間隙部が最大限広くなった場合を示す断面図である。
【００４６】
斯くして、本考案は、地震による建物１と建物２間の変形が大きく、例えば間隙部が図３のＣ２如く狭まった場合において、エキスパンションジョイントカバー部材１１の一端は、Ｘスライド矢印１８方向に対して摺動可能な複数本のスライドレール１９ａ、１９ｂ、１９ｃ・・・端部より懸吊された夫々の上下可動杆２０ａ、２０ｂ、２０ｃ・・・により支持されており、また、前記天井部材８の小口部１４は、天井部材８の間隙が地震可動時において狭まった際にエキスパンションジョイントカバー部材１１を上部に大きく押し上げることのできる斜角部１６を有した押し上げ斜材１７を設けている。そして、前記エキスパンションジョイントカバー部材１１の他端は斜角θ°を有する複数本の摺動軸２５ａ、２５ｂ、２５ｃ・・・に沿って摺動する夫々の摺動子摺動子２６ａ、２６ｂ、２６ｃ・・・に保持され斜め上方向へ平行もしくは水平にリフトアップ可能な複数個の保持具２７ａ、２７ｂ、２７ｃ・・・により支持されている免震エキスパンションジョイント天井部材である。
【００４７】
従って、本考案におけるエキスパンションジョイント天井部材は、地震可動時においてエキスパンションジョイントカバー部材１１が塞ぐ左右免震建物側と非免震建物側の天井間の間隙が狭まった際に前記カバー部材１１を水平に保ちながら斜め上方向にリフトアップ可能であり、天井スラブ下５、６の狭小スペース内に地震時の可動用構造材やエキスパンションジョイントカバー材を収めて設置可能であり、狭い躯体間隙と天井裏（天井スラブ下）空間を必要とせず施工可能箇所が大幅に拡大することが可能である。
【００４８】
また、図５及び図６は地震可動時において間隙部Ｃ１が間隙部Ｃ３の如く最大限広くなった場合を示しており、この場合においては、エキスパンションジョイントカバー部材１１の一端は、伸縮摺動部材２２ａ、２２ｂ、２２ｃ・・・内に内蔵された伸縮用引張りスプリング２４にてエキスパンションジョイントカバー部材１１が上下可動杆２０ａ、２０ｂ、２０ｃ・・・を介して非免震建物側天井部材８の方向に引張り、斜め上方にリフトアップされていたエキスパンションジョイントカバー部材１１をリフトダウンさせると共に天井部材８とエキスパンションジョイントカバー部材１１間に隙間を作ることにより最大限広くなった躯体間の間隙部Ｃ３対応する免震エキスパンションジョイント天井部材である。
【００４９】
斯くして、本考案は、免震建物と非免震建物が形成する躯体の間隙部に設置するエキスパンションジョイント天井部材を提供するものである。最近のエキスパンションジョイント天井部材、即ち、エキスパンションジョイントカバー部材においては、免震化の影響で免震建物と非免震建物との躯体間の間隙部（クリアランス）は広がる傾向がある。本考案におけるエキスパンションジョイントカバー部材は、躯体間の間隙部をエキスパンションジョイントカバー部材にて覆い、該カバー部材は地震時における躯体間の大きな変形に対応できる間隙部（クリアランス）を有し、地震時における躯体間の大きな変形にも対応することができるエキスパンションジョイント天井部材を提供することが可能である。
【００５０】
そして、本考案におけるエキスパンションジョイント天井部材は、地震可動時においてエキスパンションジョイントカバー部材が塞ぐ左右の天井間の間隙が狭まった際に前記カバー部材を水平に保ちながら斜め上方向へ平行もしくは水平にリフトアップ可能であり、天井スラブ下の狭小スペース内に地震時の可動用構造材やエキスパンションジョイントカバー材を収めて設置可能であり、狭い躯体間隙と天井裏（天井スラブ下）空間を必要とせず施工可能箇所が大幅に拡大することが可能である。
【００５１】
また、本考案は、エキスパンションジョイント天井部材を左右両側で支持することにより天井部材の垂れ下がりを防止して、通常時に左右の天井材とエキスパンションジョイント天井部材とが同一面になるように設置できること、並びに、地震時におけるエキスパンションジョイント天井部材部の伸縮や上下可動動作に伴う衝撃音が発生しない円滑な動きのできるエキスパンションジョイントカバー部材を提供することか可能である。
【００５２】
更に、本考案は、地震可動時の衝撃や破損によりエキスパンションジョイントカバー部材が落下した場合に備えて、カバー部材やカバー部材の動作機構が軽量化されており、それらが地震可動時に円滑に動作する構成にもなり、軽量化やシンプル化したエキスパンションジョイント天井部材は、従来装置に比較して製造コストを大幅に削減することが可能である。
【符号の説明】
【００５３】
１  建物（免震建物側）
２  建物（非免震建物側）
３  躯体
４  躯体
５  天井スラブ下
６  天井スラブ下
７  天井部材
８  天井部材
９ａ、９ｂ、９ｃ・・・  吊り金具
１０ａ、１０ｂ、１０ｃ・・・  吊り金具
１１  エキスパンションジョイントカバー部材
１２ａ、１２ｂ  カバー材端部
１３  小口部
１４  小口部
１５ａ、１５ｂ、１５ｃ・・・  天井装架部材
１６  斜角部
１７  押し上げ斜材
１８  Ｘスライド矢印
１９ａ、１９ｂ、１９ｃ・・・  スライドレール
２０ａ、２０ｂ、２０ｃ・・・  上下可動杆
２１ａ、２１ｂ、２１ｃ・・・  摺動長孔
２２ａ、２２ｂ、２２ｃ・・・  伸縮摺動部材
２３  アングル材
２４  伸縮用引張りスプリング
２５ａ、２５ｂ、２５ｃ・・・  摺動軸
２６ａ、２６ｂ、２６ｃ・・・  摺動子
２７ａ、２７ｂ、２７ｃ・・・  保持具
２８ａ、２８ｂ、２８ｃ・・・  摺動軸保持架台
２９  Ｙスライド矢印
３０  ガイドレール
３１  長レール
３２ａ、３２ｂ、３２ｃ・・・  支持部材
Ｃ１  間隙部
Ｃ２  間隙部
Ｃ３  間隙部
θ°  斜角
【図１】
0003199080.tif 000003
【図２】
0003199080.tif 000004
【図３】
0003199080.tif 000005
【図４】
0003199080.tif 000006
【図５】
0003199080.tif 000007
【図６】
0003199080.tif 000008